(57)【要約】【課題】薄型でフレキシブルな情報表示部と音響発生部とを備える帯電性媒体移動型の情報表示装置を提供する。【解決手段】情報表示装置１００は、少なくとも情報表示面側に配置される電極の一部が透明な一対の電極部と、電界が与えられることによって電極に向けて移動する帯電性媒体１４０と、少なくとも情報表示面側に配置される基板の一部が透明な一対のパネルとを含むパネル体１０５を有する。情報表示部Ａｐは、帯電性媒体１４０を移動させることによって情報表示面に画像を表示する。音響発生部Ａｓは、帯電性媒体１４０を一対の電極部または一対のパネルに衝突させることによって音響を発生する。情報表示部は、パネル体の所定領域に形成され、音響発生部は、所定領域以外の領域のうち、少なくとも一部に形成される。【選択図】図３
2011237538.tif 000002
【特許請求の範囲】
【請求項１】
画像データに基づいて画像を表示する情報表示部と、電気的信号に基づいて音響を発生する音響発生部とを含む情報表示装置であって、
少なくとも情報表示面側に配置される電極の一部が透明な一対の電極部と、
前記一対の電極部間に封入され、電界が与えられることによって前記電極に向けて移動する帯電性媒体と、
前記一対の電極部の外側に設けられ、少なくとも前記情報表示面側に配置される基板の一部が透明な一対のパネルと
を含むパネル体を有し、
前記情報表示部は、前記画像データに基づいて、前記帯電性媒体を移動させることによって前記情報表示面に画像を表示し、
前記音響発生部は、前記電気的信号に基づいて、前記帯電性媒体を前記一対の電極部または前記一対のパネルに衝突させることによって音響を発生し、
前記情報表示部は、前記パネル体の所定領域に形成され、
前記音響発生部は、前記パネル体の前記所定領域以外の領域のうち、少なくとも一部に形成される情報表示装置。
【請求項２】
前記パネル体において前記情報表示部として機能する領域、及び前記パネル体において前記音響発生部として機能する領域を選択する選択部を備える請求項１に記載の情報表示装置。
【請求項３】
前記音響発生部は、前記パネル体の平面視において両側部に設けられる請求項１または２に記載の情報表示装置。
【請求項４】
前記パネル体は、
前記情報表示部として機能する第１パネル体と、
前記音響発生部として機能する第２パネル体と
を有し、
前記第１パネル体の裏面は、前記第２パネル体の裏面と対向するように設けられる請求項１乃至３の何れか一項に記載の情報表示装置。
【発明の詳細な説明】
【技術分野】
【０００１】
本発明は、画像データに基づいて画像を表示する情報表示部と、電気的信号を変換して音響を発生する音響発生部とを含む情報表示装置に関する。
【背景技術】
【０００２】
近年、いわゆる電子ペーパーとして用いられる情報表示装置の一例として、表示媒体に電子粉流体（登録商標、例えば、特許文献１）や電気的に駆動可能な粒子などの帯電性媒体を用いた情報表示装置が多数提案されている（例えば、特許文献２）。
【０００３】
このような情報表示装置では、少なくとも情報表示面側に配置される電極が透明な一対の電極部間に、電気的に駆動可能な粒子で構成された表示媒体が封入されている。表示媒体は、一対の電極部から電界を与えられることによって電極間を移動する。また、一対の電極部の外側には、情報表示面側に配置される基板が透明な一対のパネルが設けられる。情報表示装置は、画像データに基づいて表示媒体の移動をピクセル毎に制御することによって、所望の画像情報を表示できる。
【０００４】
このような情報表示装置は、薄型でフレキシブルに構成できるため、電子ペーパーなどとしての活用が期待されている。
【先行技術文献】
【特許文献】
【０００５】
【特許文献１】国際公開ＷＯ２００５／１０４０７７Ａ１号
【特許文献２】特開２００８−２６８６５０号公報（第４頁、第１図）
【発明の概要】
【発明が解決しようとする課題】
【０００６】
ところで、上述したような情報表示装置の用途が広がると、情報表示装置による画像の表示に加えて、電気的信号を変換して音響（音楽や音声など）を発生するスピーカが必要となる場合も多い。しかしながら、従来のスピーカは、帯電性媒体移動型の情報表示装置と比較して厚くフレキシブルでないため、このような情報表示装置との親和性が極めて低い。
【０００７】
そこで、本発明は、薄型でフレキシブルな情報表示部と音響発生部とを備える帯電性媒体移動型の情報表示装置の提供を目的とする。
【課題を解決するための手段】
【０００８】
本発明に係る情報表示装置（情報表示装置１００）は、画像データに基づいて画像を表示する情報表示部（情報表示部Ａｐ）と、電気的信号を変換して音響を発生する音響発生部（音響発生部Ａｓ）とを含む。情報表示装置は、少なくとも情報表示面側に配置される電極の一部が透明な一対の電極部（電極１１１，電極１１２）と、前記一対の電極部間に封入され、電界が与えられることによって前記電極に向けて移動する帯電性媒体（帯電性媒体１４０）と、前記一対の電極部の外側に設けられ、少なくとも前記情報表示面側に配置される基板の一部が透明な一対のパネル（例えば、表面パネル１２１，裏面パネル１２２）とを含むパネル体（例えば、パネル体１０５）を有し、前記情報表示部は、前記画像データに基づいて、前記帯電性媒体を移動させることによって前記情報表示面に画像を表示し、前記音響発生部は、前記電気的信号に基づいて、前記帯電性媒体を前記一対の電極部または前記一対のパネルに衝突させることによって音響を発生し、前記情報表示部は、前記パネル体の所定領域（領域Ａ）に形成され、前記音響発生部は、前記パネル体の前記所定領域以外の領域のうち、少なくとも一部に形成される。
【発明の効果】
【０００９】
本発明の特徴によれば、薄型でフレキシブルな情報表示部と音響発生部とを備える帯電性媒体移動型の情報表示装置を提供することができる。
【図面の簡単な説明】
【００１０】
【図１】本発明の実施形態に係る情報表示装置１００の概略構成図である。
【図２】本発明の実施形態に係る一対の電極部を含む情報表示装置１００の一部の概略構成図である。
【図３】本発明の実施形態に係るパネル体１０５の構成図である。
【図４】本発明の実施形態に係るパネル体１０５Ａの構成図である。
【図５】本発明の実施形態に係るパネル体１０５Ｂの構成図である。
【図６】本発明の実施形態に係るパネル体１０５Ｃの構成図である。
【図７】本発明の変更例に係る情報表示装置１００Ａの概略斜視図である。
【発明を実施するための形態】
【００１１】
次に、本発明に係る情報表示装置の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
（１）情報表示装置１００の全体概略構成
図１は、本実施形態に係る情報表示装置１００の概略構成図である。図１に示すように、情報表示装置１００は、制御モジュール部１０と、パネル体１０５とによって構成される。
【００１４】
情報表示装置１００は、画像データに基づいて画像を表示する情報表示部Ａｐ（図１において不図示、図３など参照）と、電気的信号を変換して音響を発生する音響発生部Ａｓ（図３など参照）とを含む。具体的には、情報表示装置１００のパネル体１０５は、画像を表示する画像表示領域または音響を発生する音響発生領域として兼用される。
【００１５】
制御モジュール部１０は、ＣＰＵ２０、グラフィックコントローラ３０、音源４０、アンプ５０、セレクタ６０及びドライバＩＣ７０を有する。
【００１６】
ＣＰＵ２０は、所定のフォーマットに従った画像データをグラフィックコントローラ３０に出力する。グラフィックコントローラ３０は、グラフィックコントローラ３０は、ＣＰＵ２０から出力された画像データに基づいてドライバＩＣ７０を制御する。ドライバＩＣ７０は、グラフィックコントローラ３０による制御に基づいて電極１１１及び電極１１２に所定の電圧を印加する。
【００１７】
音源４０は、音声や音楽などの音響信号が変換された電気的信号（アナログまたはディジタル）を出力する。音源４０としては、マイクロフォン、ＭＰ３プレーヤなどの音楽プレーヤ、テレビ、パーソナルコンピュータ及びゲーム機などを用いることができる。
【００１８】
アンプ５０は、音源４０から出力された電気的信号を増幅する。アンプ５０は、ディジタル信号処理（ＤＳＰ）による信号補正機能などを搭載してもよい。アンプ５０は、アナログ波形またはパルス波形を出力できることが好ましい。パルス波形への変換には、ΔΣ変調などを用いることができる。パルス波形を出力することによって、閾値電圧特性を有する帯電性媒体１４０を用いた場合でも、効果的に音響を発生させることができる。
【００１９】
セレクタ６０は、グラフィックコントローラ３０、アンプ５０及びドライバＩＣ７０に接続される。セレクタ６０は、グラフィックコントローラ３０から出力された駆動信号の出力先、及びアンプ５０から出力される駆動信号の出力先を選択する。ドライバＩＣ７０は、互いに交差する複数のライン状の電極１１１及び電極１１２に対応して複数設けられる。
【００２０】
すなわち、セレクタ６０は、パネル体１０５において情報表示部Ａｐとして機能する領域、及びパネル体１０５において音響発生部Ａｓとして機能する領域を選択する。具体的には、パネル体１０５の平面における所定の領域と対応する電極１１１及び電極１１２にグラフィックコントローラ３０からの駆動信号が出力され、当該所定領域以外の領域の少なくとも一部と対応する電極１１１及び電極１１２にアンプ５０からの駆動信号が出力される。
【００２１】
パネル体１０５は、一対の電極部（電極１１１，電極１１２）、一対のパネル（表面パネル１２１，裏面パネル１２２）、隔壁１３０及び帯電性媒体１４０を含む。パネル体１０５は、制御モジュール部１０から出力された駆動信号に基づいて、画像を表示したり、音響を発生したりする。
【００２２】
図２は、一対の電極部を含む情報表示装置１００の一部の概略構成図である。図２に示すように、電極１１１及び電極１１２は、互いに直交するように対向して配置される。ここでは、対向する電極対をストライプ電極の重なる部分で構成する例を示したが、所定形状の導電膜を対向させた電極対を複数配置（例えば、マトリックス配置）することもできる。電極１１１及び電極１１２を構成する導電性材料としては、（ｉ）酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物(ＡＴＯ)、導電性酸化錫、導電性酸化亜鉛などの導電金属酸化物類、（ｉｉ）ポリアニリン、ポリビロール、ポリチオフェン（ＰＥＤＯＴ：ＰＳＳなど）などの導電性高分子類、（ｉｉｉ）金、銀、銅、アルミニウム、ニッケル、クロムなどの金属、（ｉｖ）これらの金属を主成分とする合金が挙げられる。これらの導電性材料で形成された導電膜は、透明であってもよいし、透明でなくてもよい。なお、電極１１１及び電極１１２は、表面に絶縁膜のようなコート膜が施されていてもよい。
【００２３】
電極１１１及び電極１１２の形成方法としては、上述した導電性材料をスパッタリング法、真空蒸着法、ＣＶＤ（化学蒸着）法、塗布法などで薄膜状に形成する方法や、金属箔（例えば、圧延銅箔）をラミネートする方法、導電剤を溶媒や合成樹脂バインダーに混合して塗布する方法を用いることができる。なお、電極１１１及び電極１１２の厚みは、導電性が確保できればよく、０．０１μｍ〜１０μｍが好ましく、０．０５μｍ〜５μｍがより好ましい。
【００２４】
なお、ＩＴＯなどの金属酸化物系の導電性材料は、金属材料に比べて可とう性が小さいため、これら金属酸化物系の導電性材料を用いて構成する場合には、断線防止のため、可とう性に優れる銅、アルミニウム、ニッケルや、これらの合金などの金属電極を含ませた複合構造とすることが好ましい。ライン状の電極であれば、金属ライン電極を、金属酸化物系ライン状電極に並接するように設けたり、金属酸化物系ライン状電極に埋設したりする構造とすることができる。また、複数の電極１１１及び電極１１２のうち、少なくとも情報表示面側に配置され、情報表示部Ａｐとして機能する領域と対応する電極が透明であればよい。さらには、電極１１１及び電極１１２の一方を所定形状の導電膜とし、他方をべた導電膜とした構成にすることもできる。
【００２５】
表面パネル１２１は、電極１１１と接触するように配置される。表面パネル１２１は、対向して配置された一対の電極部の外側、具体的には、電極１１１の外側に設けられる。同様に、裏面パネル１２２は、電極１１２の外側に設けられる。
【００２６】
表面パネル１２１及び裏面パネル１２２としては、ポリエチレンテレフタレート、ポリエチレンナフタレート、ポリエーテルサルフォン、ポリエチレン、ポリカーボネート、ポリイミド、アクリルなどの高分子材料や、ガラス、石英、硬質プラスチック、金属などが挙げられる。表面パネル１２１及び裏面パネル１２２の厚みは、１０μｍ〜５，０００μｍが好ましい。なお、情報表示面側に配置される表面パネル１２１は、情報表示部Ａｐとして機能する領域と対応する部分が透明であればよく、裏面パネル１２２は、必ずしも透明でなくてもよい。
【００２７】
隔壁１３０は、電極１１１と電極１１２との間に形成された空間を区画する。具体的には、隔壁１３０は、当該空間を一または複数のセルＣに区画する。帯電性媒体１４０は、隔壁１３０によって区画されたセルＣに封入される。セルＣは、帯電性媒体１４０と気体（空気）によって満たされる。なお、当該空間は、真空としてもよい。隔壁１３０としては、ドライフィルムレジスト材を用いることができ、例えば、アルフオＮＩＴ２（ニチゴーモートン社製）やＰＤＦ３００（新日鐵化学社製）が挙げられる。
【００２８】
帯電性媒体１４０は、一対の電極部間に封入され、電界が与えられることによって電極１１１または電極１１２に向けて移動する。すなわち、帯電性媒体１４０は、電気的に駆動可能な粒子であり、正または負の帯電性を有する。
【００２９】
（２）パネル体の構成
図３（ａ）及び（ｂ）は、パネル体１０５の構成図である。具体的には、図３（ａ）は、パネル体１０５の平面図であり、図３（ｂ）は、Ｆ３Ｂ−Ｆ３Ｂ線に沿ったパネル体１０５の断面図である。なお、図３（ａ）と図３（ｂ）とは、セルＣのサイズや数が一致していないことに留意されたい。
【００３０】
図３（ａ）及び（ｂ）に示すように、パネル体１０５は、複数の領域Ａ（所定領域）によって構成される。また、領域Ａは、複数のセルＣによって構成される。パネル体１０５は、領域Ａ毎に、情報表示部Ａｐまたは音響発生部Ａｓとして機能することができる。
【００３１】
表面パネル１２１、裏面パネル１２２及び隔壁１３０によって形成されたそれぞれのセルＣには、帯電性媒体１４０、具体的には、複数の帯電性媒体１４１及び帯電性媒体１４２が封入される。
【００３２】
帯電性媒体１４１は、次のように製造することができる。（ｉ）メチルメタクリレートモノマー（関東化学試薬）６０重量部、及び１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ポントロンＮｏ７：オリエント化学製）３重量部、及び黒色顔料として、カーボンブラック（スペシャルブラック：デグッサ製）５重量部をサンドミルにより分散させ、（アクリル系及びメタクリル系樹脂）−炭化水素系樹脂ブロックコポリマー（モディバーＦ６００：日本油脂製）５重量部を溶解させる。（ｉｉ）２重量部のラウリルパーオキサイド（パーロイルL：日本油脂製）を溶解させた液を、界面活性剤としてポリオキシエチレンアルキルエーテル硫酸ナトリウム（ラテムルＥ−１１８Ｂ：花王製）を０．５％添加した精製水に（ｉ）の生成物を懸濁、重合させ、濾過、乾燥させる。（ｉｉｉ）分級機（ＭＤＳ−２：日本ニューマチック工業性）を用いて（ii）の生成物から平均粒子径９．２μｍの正帯電性粒子を得た。
【００３３】
また、帯電性媒体１４２は、次のように製造することができる。（ｉ）ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ポントロンＥ８９：オリエント化学製）５重量部とを、２軸混練機により溶融混練する。（ｉｉ）ジェットミル（ラボジェットミルＩＤＳ−ＬＪ型：日本ニューマチック工業製）で（ｉ）の生成物を細かく粉砕し、分級機（ＭＤＳ−２：日本ニューマチック工業製）を用いて分級する。（ｉｉｉ）溶融球状化装置（ＭＲ−１０：日本ニューマチック工業製）を用いて（ｉｉ）の生成物を溶融球状化し、平均粒子径が９．５μｍの負帯電性粒子を得た。
【００３４】
情報表示部Ａｐは、画像データに基づいて、帯電性媒体１４０を移動させることによって表面パネル１２１の情報表示面に画像を表示する。また、音響発生部Ａｓは、音声や音楽などの音響信号が変換された電気的信号に基づいて、帯電性媒体１４０が電極１１１，電極１１２、または表面パネル１２１，裏面パネル１２２に衝突させることによって音響を発生する。
【００３５】
情報表示部Ａｐは、パネル体１０５の所定領域（例えば、領域Ａ）に形成される。また、音響発生部Ａｓは、パネル体１０５の領域Ａ以外の領域のうち、少なくとも一部に形成される。
【００３６】
パネル体１０５は、同一のパネルに配置した複数の電極を接続することによって、１枚の情報表示パネルを構成する。パネル体１０５の各構成部材は、情報表示部Ａｐに要求される機能、または音響発生部Ａｓに要求される機能によって、それぞれ好適な部材を選択することができるが、パネル体１０５では、情報表示部Ａｐとして機能する領域、及び音響発生部Ａｓとして機能する領域が固定されないため、すべての領域において、構成部材それぞれの材料や形状は、同一である。
【００３７】
（３）パネル体の構造例
次に、パネル体の構造例について説明する。図４（ａ）及び（ｂ）は、パネル体１０５Ａの構成図である。具体的には、図４（ａ）は、パネル体１０５Ａの平面図であり、図４（ｂ）は、Ｆ４Ｂ−Ｆ４Ｂ線に沿ったパネル体１０５Ａの断面図である。なお、図４（ａ）と図４（ｂ）とは、セルＣのサイズや数が一致していないことに留意されたい。
【００３８】
上述したパネル体１０５では、すべての領域において構成部材それぞれの材料や形状は、同一であったが、パネル体１０５Ａでは、情報表示部Ａｐ及び音響発生部Ａｓのそれぞれに特化した材料や形状が用いられる。
【００３９】
パネル体１０５Ａでは、情報表示部Ａｐの両側部に音響発生部Ａｓが設けられる。音響発生部Ａｓと対応するセルＣの高さは、情報表示部ＡｐのセルＣの高さよりも高い。このため、帯電性媒体１４２の移動量が増大し、音響発生部Ａｓが発生する音量を大きくし得る。具体的には、音響発生部Ａｓにおける裏面パネル１２２Ａの厚さは、情報表示部Ａｐにおける裏面パネル１２２Ａの厚さよりも薄くなっている。また、音響発生部Ａｓと対応するセルＣにおいて、表面パネル１２１Ａの表面には、音質制御膜１２３が設けられる。なお、音質制御膜１２３としては、表面パネル１２１Ａの音響発生部Ａｓ部分の帯電性を抑制するために、体積固有抵抗が１．０×１０１０〔Ω・ｃｍ〕以下の材料を用いることができる。
【００４０】
さらに、音響発生部Ａｓと対応するセルＣには、何れか一方の帯電性媒体、具体的には、黒色の帯電性媒体１４１のみを封入してもよいし、情報表示部Ａｐと同様の二種類の帯電性媒体（帯電性媒体１４１，帯電性媒体１４２）を封入してもよい。つまり、音響発生部Ａｓでは、画像を表示する必要がないため、何れか一方の帯電性媒体が封入されていれば、音響を発生することができる。情報表示部Ａｐに封入する帯電性媒体（帯電性媒体１４１，帯電性媒体１４２）の色は、白色と黒色のように互いに目立つような組み合わせとすることが好ましい。
【００４１】
図５（ａ）及び（ｂ）は、パネル体１０５Ｂの構成図である。具体的には、図５（ａ）は、パネル体１０５Ｂの平面図であり、図５（ｂ）は、Ｆ５Ｂ−Ｆ５Ｂ線に沿ったパネル体１０５Ｂの断面図である。なお、図５（ａ）と図５（ｂ）とは、セルＣのサイズや数が一致していないことに留意されたい。
【００４２】
パネル体１０５Ｂは、上述したパネル体１０５Ａと概ね同様の構造を有しているが、表面パネル１２１Ｂの形状が異なる。すなわち、表面パネル１２１Ｂは、情報表示部Ａｐに対応する領域のみに設けられる。一方、音響発生部Ａｓに対応する領域には、音質の向上などを目的として、金属パネル１２４が設けられる。また、裏面パネル１２２Ｂの厚さは、情報表示部Ａｐと音響発生部Ａｓとにおいて同一でもよいし、上述したパネル体１０５Ａのように大きな厚さの差異を設けてもよい。
【００４３】
図６（ａ）〜（ｃ）は、パネル体１０５Ｃの構成図である。具体的には、図５（ａ）は、パネル体１０５Ｃの平面図であり、図６（ｂ）は、Ｆ６Ｂ−Ｆ６Ｂ線に沿ったパネル体１０５Ｃの断面図である。図６（ｃ）は、Ｆ６Ｃ−Ｆ６Ｃ線に沿ったパネル体１０５Ｃの断面図である。
【００４４】
なお、図６（ａ）と、図６（ｂ），（ｃ）とは、セルＣのサイズや数が一致していないことに留意されたい。
【００４５】
パネル体１０５Ｃは、１６枚のパネルで構成され、１２枚のパネルが情報表示部Ａｐとして機能し、右側の４枚のパネルが音響発生部Ａｓとして機能する。図６（ｂ）及び（ｃ）に示すように、情報表示部Ａｐとして機能するパネルＰと、音響発生部Ａｓとして機能するパネルＰとは、構造が異なる。具体的には、情報表示部Ａｐとして機能するパネルＰでは、透明な表面パネル１２１Ｃが設けられるが、音響発生部Ａｓとして機能するパネルＰでは、金属パネル１２５が設けられる。
【００４６】
（４）作用・効果
情報表示装置１００によれば、画像を表示する情報表示部Ａｐと、音響を発生する音響発生部Ａｓとが、同一のパネル体に設けられる。情報表示部Ａｐは、帯電性媒体１４０を移動させることによって表面パネル（情報表示面）に画像を表示する。また、音響発生部Ａｓは、音声や音楽などの音響信号が変換された電気的信号に基づいて、帯電性媒体１４０を一対の電極部または一対のパネルに衝突させることによって音響を発生する。
【００４７】
このため、画像の表示とともに音響を発生する必要がある場合でも、一般的なスピーカを組み合わせる必要がない。つまり、薄型でフレキシブルでありながら、画像の表示とともに音響を発生することができる。さらに、一般的なスピーカを組み合わせる必要がないため、音響を発生する機能を具備する場合でも情報表示装置１００の価格上昇を抑制できる。
【００４８】
本実施形態では、パネル体において情報表示部Ａｐとして機能する領域、及びパネル体において音響発生部Ａｓとして機能する領域を選択するセレクタ６０が設けられる。このため、情報表示装置１００の利用形態などに応じて、パネル体における任意の領域を情報表示部Ａｐまたは音響発生部Ａｓとして機能させることができる。
【００４９】
パネル体１０５Ａ及びパネル体１０５Ｂでは、音響発生部Ａｓがパネル体の平面視において両側部に設けられる。このため、ステレオ方式による電気的信号に基づいて音響を発生する場合に都合がよい。
【００５０】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５１】
例えば、本発明の実施形態は、次のように変更することができる。図７は、本発明の変更例に係る情報表示装置１００Ａの概略斜視図である。図７に示すように、情報表示装置１００Ａでは、情報表示部Ａｐとして機能する表面パネル体１０１Ｆ（第１パネル体）と、音響発生部Ａｓとして機能する裏面パネル体１０１Ｒ（第２パネル体）とによってパネル体が構成される。
【００５２】
表面パネル体１０１Ｆの裏面は、裏面パネル体１０１Ｒの裏面と対向するように設けられる。情報表示装置１００Ａによれば、表面全面において画像が表示され、裏面全面から音響を発生させることができる。
【００５３】
また、上述した実施形態では、セレクタ６０が設けられていたが、音響発生部Ａｓとして機能する領域が固定されている場合には、セレクタ６０は必ずしも必要ない。
【００５４】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００５５】
Ａｐ…情報表示部
Ａｓ…音響発生部
Ｃ…セル
Ｐ…パネル
１０…制御モジュール部
２０…ＣＰＵ
３０…グラフィックコントローラ
４０…音源
５０…アンプ
６０…セレクタ
７０…ドライバＩＣ
１００，１００A…情報表示装置
１０１Ｆ…表面パネル体
１０１Ｒ…裏面パネル体
１０５，１０５Ａ，１０５Ｂ，１０５Ｃ…パネル体
１１１…電極
１２１，１２１Ａ，１２１Ｂ，１２１Ｃ…表面パネル
１２２，１２２Ａ，１２２Ｂ…裏面パネル
１２３…音質制御膜
１２４，１２５…金属パネル
１３０…隔壁
１４０，１４１，１４２…帯電性媒体
【図１】
2011237538.tif 000003
【図２】
2011237538.tif 000004
【図３】
2011237538.tif 000005
【図４】
2011237538.tif 000006
【図５】
2011237538.tif 000007
【図６】
2011237538.tif 000008
【図７】
2011237538.tif 000009